(57)【要約】【課題】粘膜表層より深部の組織に突き刺してその部分の組織を針内に確実かつ容易に切り取って採取することができる内視鏡用組織採取穿刺針装置を提供すること。【解決手段】手元側に吸引手段３０を接続することができる穿刺針２が外套管１内に軸線方向に進退自在に設けられて、穿刺針２を手元側で進退操作することにより穿刺針２の先端２ａが外套管１の先端から出入りするように構成された内視鏡用組織採取穿刺針装置において、穿刺針２の先端形状を軸線周りの回転対称位置にある複数の最先端部分２ｂが各々尖った波状に形成して、その波状の稜線部分２ｃを刃状に形成する。【選択図】      図１
2005204767.tif 000002
【特許請求の範囲】
【請求項１】
内視鏡の処置具挿通チャンネル内に挿通して用いられる内視鏡用組織採取穿刺針装置であって、手元側に吸引手段を接続することができる穿刺針が外套管内に軸線方向に進退自在に設けられて、上記穿刺針を手元側で進退操作することにより上記穿刺針の先端が上記外套管の先端から出入りするように構成されたものにおいて、
上記穿刺針の先端形状を軸線周りの回転対称位置にある複数の最先端部分が各々尖った波状に形成して、その波状の稜線部分を刃状に形成したことを特徴とする内視鏡用組織採取穿刺針装置。
【請求項２】
上記穿刺針内に手元側から全長にわたって挿脱自在なスタイレットが設けられている請求項１記載の内視鏡用組織採取穿刺針装置。
【請求項３】
上記吸引手段として、上記穿刺針の手元側端部にコックを介して注射筒が接続自在である請求項１又は２記載の内視鏡用組織採取穿刺針装置。
【発明の詳細な説明】
【技術分野】
【０００１】
この発明は、内視鏡の処置具挿通チャンネルに通して用いられる内視鏡用組織採取穿刺針装置に関する。
【背景技術】
【０００２】
内視鏡用組織採取穿刺針装置は、内視鏡（特に超音波内視鏡）の処置具挿通チャンネルに挿通して粘膜表層より深部の患部に穿刺し、その部分の組織を針内に吸引しながら切り取って採取するため等に用いられる。
【０００３】
そのような目的に用いられる従来の内視鏡用組織採取穿刺針装置においては、穿刺針の先端が注射針状に斜めにカットされた形状に形成されていた（例えば、特許文献１）。
【特許文献１】特開平７−１７８０９８
【発明の開示】
【発明が解決しようとする課題】
【０００４】
しかし、先端が斜めにカットされた形状の穿刺針は、生体組織に対してよく突き刺さるものの、組織を針内に切り取る機能が高くないので、基端側から吸引をしても組織を有効に切り取って採取できない場合があった。
【０００５】
そこで本発明は、粘膜表層より深部の組織に突き刺してその部分の組織を針内に確実かつ容易に切り取って採取することができる内視鏡用組織採取穿刺針装置を提供することを目的とする。
【課題を解決するための手段】
【０００６】
上記の目的を達成するため、本発明の内視鏡用組織採取穿刺針装置は、内視鏡の処置具挿通チャンネル内に挿通して用いられる内視鏡用組織採取穿刺針装置であって、手元側に吸引手段を接続することができる穿刺針が外套管内に軸線方向に進退自在に設けられて、穿刺針を手元側で進退操作することにより穿刺針の先端が外套管の先端から出入りするように構成されたものにおいて、穿刺針の先端形状を軸線周りの回転対称位置にある複数の最先端部分が各々尖った波状に形成して、その波状の稜線部分を刃状に形成したものである。
【０００７】
なお、穿刺針内に手元側から全長にわたって挿脱自在なスタイレットが設けられていてもよく、吸引手段として、穿刺針の手元側端部にコックを介して注射筒が接続自在であってもよい。
【発明の効果】
【０００８】
本発明によれば、穿刺針の先端を粘膜表層より深部の組織に容易に突き刺すことができ、さらに吸引手段で穿刺針内を負圧の状態にしてから穿刺針を回転させながら押し込むことにより、穿刺針の先端内に組織を引き込んだ状態にして刃状に形成されている穿刺針の波状の稜線部分で組織を容易に切断採取することができる。
【発明を実施するための最良の形態】
【０００９】
内視鏡の処置具挿通チャンネル内に挿通して用いられる内視鏡用組織採取穿刺針装置であって、手元側に吸引手段を接続することができる穿刺針が外套管内に軸線方向に進退自在に設けられて、穿刺針を手元側で進退操作することにより穿刺針の先端が外套管の先端から出入りするように構成されたものにおいて、穿刺針の先端形状を軸線周りの回転対称位置にある複数の最先端部分が各々尖った波状に形成して、その波状の稜線部分を刃状に形成する。
【実施例】
【００１０】
図面を参照して本発明の実施例を説明する。
図４は本発明の実施例の内視鏡用組織採取穿刺針装置を示しており、１は、図示されていない内視鏡の処置具挿通チャンネルに挿脱される可撓性の外套管であり、例えば四フッ化エチレン樹脂チューブ等によって形成されている。
【００１１】
外套管１内には、薄肉の金属パイプ又は硬質プラスチックパイプからなる穿刺針２が軸線方向に進退自在かつ軸線周りに回転自在に全長にわたって挿通配置されていて、その穿刺針２内には、ステンレス鋼線等からなるスタイレット３が軸線方向に進退自在に全長にわたって挿通配置されている。
【００１２】
１０は、図示されていない内視鏡の処置具挿通チャンネルの入口部分に係脱自在な支持筒であり、外套管１の基端が連結固定された外套管操作筒体１１が、支持筒１０内に軸線方向に進退自在に嵌挿されている。
【００１３】
そして外套管操作筒体１１は、支持筒１０に取り付けられている固定ネジ１０Ａによって任意の進退位置で支持筒１０に固定することができる。１１Ａは、支持筒１０から突出した位置にある外套管操作筒体１１の端部に形成された摘み部である。
【００１４】
外套管操作筒体１１内には、穿刺針２の基端が連結固定された穿刺針操作筒体１２が軸線方向に進退自在かつ軸線周りに回転自在に嵌挿されていて、外套管操作筒体１１から突出した位置にある穿刺針操作筒体１２の端部には例えばルアーロック口金等のような注射針口金状の基端口金１２Ａが取り付けられている。
【００１５】
スタイレット３は、そのような穿刺針操作筒体１２内を通過する状態に配置されていて、スタイレット３の基端部分に取り付けられたスタイレット操作摘み３Ａが基端口金１２Ａに対して手元側から係脱自在になっている。
【００１６】
そのような構成により、スタイレット操作摘み３Ａを基端口金１２Ａに係合させた状態ではスタイレット３の先端が穿刺針２の先端部分２ａから突出した状態になり、矢印Ｐで示されるようにスタイレット操作摘み３Ａを軸線方向に引っ張ることにより、矢印ｐで示されるようにスタイレット３の先端が穿刺針２内に引き込まれる。
【００１７】
そして、さらにスタイレット３を穿刺針２内から全長にわたって引き出すことにより、基端口金１２Ａに吸引手段を接続して、穿刺針２を通してその先端部分２ａから吸引を行うことができる。
【００１８】
また、矢印Ｑで示されるように穿刺針操作筒体１２を外套管操作筒体１１に対して軸線方向に進退操作することにより、矢印ｑで示されるように穿刺針２の先端部分２ａが外套管１の先端から突没して外套管１の先端からの穿刺針２の突出長を任意に可変することができる。
【００１９】
また、矢印Ｒで示されるように穿刺針操作筒体１２を外套管操作筒体１１に対して軸線周りに回転操作することにより、矢印ｒで示されるように穿刺針２の先端部分２ａが外套管１に対して軸線周りに回転する。
【００２０】
図１は、穿刺針２の先端部分２ａ付近を拡大して示す斜視図、図２はその正面図、図３は側面図であり、穿刺針２の先端部分２ａは軸線周りの１８０°対称位置にある二ヵ所の最先端部分２ｂが各々尖った波状に形成されていて、その波状の稜線部分２ｃが鋭利な刃状に形成されている。したがって、図５に示されるように、穿刺針２の先端部分２ａを体内の深部の組織１００まで容易に突き刺すことができる。
【００２１】
そして、図６に示されるように、スタイレット３を抜き取った後の基端口金１２Ａに例えば三方活栓状のコック２０を介して吸引手段としての注射筒３０を取り付け、コック２０を開状態にしてから矢印Ｅに示されるように注射ピストン３１を引き出し方向（吸引方向）に操作し、それからコック２０を閉状態にすると、穿刺針２が負圧の状態に保持される。
【００２２】
そこで、その状態を保って、穿刺針操作筒体１２を矢印Ｆで示されるように軸線周りに回転操作しながら矢印Ｇで示されるように押し込み操作をすると、矢印ｇで示されるように穿刺針２の先端部分２ａが組織内に押し込まれると共に、矢印ｅに示されるように組織１００が穿刺針２の先端部分２ａ内に引き込まれ、それと同時に矢印ｆで示されるように穿刺針２の先端部分２ａが軸線周りに回転するので、鋭利な刃状に形成された波状の稜線部分２ｃにより組織１００が切断されて穿刺針２内に容易に採取される。
【００２３】
なお、本発明は上記実施例に限定されるものではなく、例えば穿刺針２の先端形状は、尖った最先端部分２ｂを、１８０°対称に限らず、９０°毎に四ヵ所又は１２０°毎に三ヵ所のごとく軸線周りの回転対称位置に複数設けたものであればよい。
【図面の簡単な説明】
【００２４】
【図１】本発明の実施例の内視鏡用組織採取穿刺針装置の穿刺針の先端部分付近を拡大して示す斜視図である。
【図２】本発明の実施例の内視鏡用組織採取穿刺針装置の穿刺針の先端部分付近を拡大して示す正面図である。
【図３】本発明の実施例の内視鏡用組織採取穿刺針装置の穿刺針の先端部分付近を拡大して示す側面図である。
【図４】本発明の実施例の内視鏡用組織採取穿刺針装置の全体構成を示す側面図である。
【図５】本発明の実施例の内視鏡用組織採取穿刺針装置の使用状態における穿刺針の先端部分の側面断面図である。
【図６】本発明の実施例の内視鏡用組織採取穿刺針装置の使用状態における全体構成図である。
【符号の説明】
【００２５】
１  外套管
２  穿刺針
２ａ  先端部分
２ｂ  最先端部分
２ｃ  稜線部分
３  スタイレット
１１  外套管操作筒体
１２  穿刺針操作筒体
１２Ａ  基端口金
２０  コック
３０  注射筒（吸引手段）
【図１】
2005204767.tif 000003
【図２】
2005204767.tif 000004
【図３】
2005204767.tif 000005
【図４】
2005204767.tif 000006
【図５】
2005204767.tif 000007
【図６】
2005204767.tif 000008